(57)【特許請求の範囲】
【請求項１】
ネットワークを介して被制御装置を制御する制御装置であって、
前記被制御装置に装置ＩＤの送信を要求するＩＤ要求手段と、
前記被制御装置から装置ＩＤを受信するＩＤ受信手段と、
受信された前記装置ＩＤが初期値であるか否かを判定する判定手段と、
受信された前記装置ＩＤが初期値であると判定された場合、前記被制御装置を識別するための新規な装置ＩＤを生成する生成手段と、
前記新規な装置ＩＤへの更新を前記被制御装置に要求する更新要求手段と、
前記新規な装置ＩＤを前記被制御装置の装置ＩＤとして保持する保持手段と、
前記保持手段に保持されている装置ＩＤを用いて前記被制御装置を制御する制御手段と
を備え、
前記判定手段は、前記装置ＩＤが初期値でない場合、さらに前記保持手段に保持されている装置ＩＤと重複するか否かを判定し、
前記生成手段は、前記保持手段に保持されている装置ＩＤと重複すると判定された場合、初期値でなく且つ前記保持手段に保持されていない装置ＩＤを新規に生成し、
前記装置ＩＤは、ＩＰアドレスを含まない
ことを特徴とする制御装置。
【請求項２】
前記制御装置はさらに、
前記被制御装置に属性情報の送信を要求する属性要求手段と、
前記被制御装置から属性情報を受信する属性受信手段とを備え、
前記保持手段は、受信された前記属性情報を装置ＩＤと対応付けて保持し、
前記制御手段は、保持されている前記属性情報に基づいて前記被制御装置を制御する
ことを特徴とする請求項１に記載の制御装置。
【請求項３】
ネットワークを介して制御装置によって制御される被制御装置であって、
初期値の装置ＩＤを保持する保持手段と、
前記制御装置から装置ＩＤの送信要求を受信するＩＤ要求受信手段と、
前記送信要求に応じて、前記保持手段に保持されている装置ＩＤを前記制御装置に送信するＩＤ送信手段と、
前記制御装置から装置ＩＤの更新要求を受信する更新要求受信手段と、
前記更新要求に応じて、前記保持手段に保持されている装置ＩＤを変更する変更手段と、
前記被制御装置の属性情報を保持する保持手段と、
前記制御装置から属性情報の送信要求を受信する属性要求受信手段と、
前記送信要求に応じて、前記保持手段に保持されている属性情報を前記制御装置に送信する属性送信手段とを備え、
前記装置ＩＤは、ＩＰアドレスを含まない
ことを特徴とする被制御装置。
【請求項４】
ネットワークを介して被制御装置を制御装置が制御する方法であって、
前記制御装置で実行されるステップには、
前記被制御装置に装置ＩＤの送信を要求するＩＤ要求ステップと、
前記被制御装置から装置ＩＤを受信するＩＤ受信ステップと、
受信された前記装置ＩＤが初期値であるか否かを判定する判定ステップと、
受信された前記装置ＩＤが初期値であると判定された場合、前記被制御装置を識別するための新規な装置ＩＤを生成する生成ステップと、
前記新規な装置ＩＤへの更新を前記被制御装置に要求する更新要求ステップと、
前記新規な装置ＩＤを前記被制御装置の装置ＩＤとして第１の保持手段に保持する保持ステップと、
前記第１の保持手段に保持されている装置ＩＤを用いて前記被制御装置を制御する制御ステップとが含まれ、
前記判定ステップでは、前記装置ＩＤが初期値でない場合、さらに前記第１の保持手段に保持されている装置ＩＤと重複するか否かを判定し、
前記生成ステップでは、前記第１の保持手段に保持されている装置ＩＤと重複すると判定された場合、初期値でなく且つ前記第１の保持手段に保持されていない装置ＩＤを新規に生成し、
前記被制御装置で実行されるステップには、
初期値の装置ＩＤを第２の保持手段に保持する保持ステップと、
前記制御装置から装置ＩＤの送信要求を受信するＩＤ要求受信ステップと、
前記送信要求に応じて、前記第２の保持手段に保持されている装置ＩＤを前記制御装置に送信するＩＤ送信ステップと、
前記制御装置から装置ＩＤの更新要求を受信する更新要求受信ステップと、
前記更新要求に応じて、前記第２の保持手段に保持されている装置ＩＤを変更する変更ステップと、
前記被制御装置の属性情報を第３の保持手段に保持する保持ステップと、
前記制御装置から属性情報の送信要求を受信する属性要求受信ステップと、
前記送信要求に応じて、前記第３の保持手段に保持されている属性情報を前記制御装置に送信する属性送信ステップとが含まれ、
前記装置ＩＤは、ＩＰアドレスを含まない
ことを特徴とする制御方法。
【発明の詳細な説明】
【技術分野】
【０００１】
本発明は、複数台の被制御装置を制御装置が制御する技術に関し、特に、複数台の被制御装置を制御装置が識別する技術に関する。
【背景技術】
【０００２】
複数台の被制御装置を制御装置が識別するためには、EUI-64などのユニークなIDを各被制御装置に付与するのが一般的である。EUI-64は、デバイスを一意に識別する64ビット長のIDであり、そのアドレス体系はIEEEによって標準化されている。すなわち、64ビット長の識別子のうち、上位24ビットはOUI（Organizationally Unique Identifier）またはcompany_idと呼ばれ、IEEEが製造業者に対して一意に割り当てた番号である。残りの下位40ビットはextension identifierと呼ばれ、IEEEはその割り当てには関知しない。OUIの割り当てを受けた製造業者によって、重複がないように番号を割り当てるという規則が守られれば、EUI-64識別子を持つデバイスはすべて一意な識別子を持つことになる。
【０００３】
また、中央管理装置が画像形成装置に識別コードを動的に割り当てるシステムも提案されている（例えば、特許文献１参照）。識別コードは、中央管理装置が外部管理装置に接続されているか否かによって切り替わるようになっている。
【特許文献１】特開２００３−１６９０５９号公報
【発明の開示】
【発明が解決しようとする課題】
【０００４】
しかしながら、製造出荷時に一意な識別子を全てのデバイスに割り当てるのは、製造業者の管理負担が大きい。この問題は、装置の製造台数が増加するにつれて顕著となる。
【０００５】
もっとも、特許文献１において提案されているシステムによると、画像形成装置が中央管理装置に接続する度に識別コードが端末装置に割り当てられるので、製造業者の管理負担が大きいという問題は解決される。しかしながら、画像形成装置が中央管理装置に接続する度に識別コードが端末装置に割り当てられると、中央管理装置と画像形成装置の双方で処理工数が増大するという別の問題が生じる。
【０００６】
本発明は、このような問題点に鑑みてなされたものであって、簡便な手法によって製造業者の管理負担を軽減し得る制御装置及び被制御装置を提供することを目的とする。
【課題を解決するための手段】
【０００７】
前記目的を達成するために、本発明に係る制御装置は、被制御装置を制御する制御装置であって、前記被制御装置に装置ＩＤの送信を要求するＩＤ要求手段と、前記被制御装置から装置ＩＤを受信するＩＤ受信手段と、受信された前記装置ＩＤが初期値であるか否かを判定する判定手段と、受信された前記装置ＩＤが初期値であると判定された場合、新規な装置ＩＤを生成する生成手段と、前記新規な装置ＩＤへの更新を前記被制御装置に要求する更新要求手段と、前記新規な装置ＩＤを前記被制御装置の装置ＩＤとして保持する保持手段と、前記保持手段に保持されている装置ＩＤを用いて前記被制御装置を制御する制御手段とを備える。また、本発明に係る被制御装置は、制御装置によって制御される被制御装置であって、初期値の装置ＩＤを保持する保持手段と、前記制御装置から装置ＩＤの送信要求を受信するＩＤ要求受信手段と、前記送信要求に応じて、前記保持手段に保持されている装置ＩＤを前記制御装置に送信するＩＤ送信手段と、前記制御装置から装置ＩＤの更新要求を受信する更新要求受信手段と、前記更新要求に応じて、前記保持手段に保持されている装置ＩＤを変更する変更手段とを備える。これによって、共通の初期値を被制御装置に設定しておいても、この被制御装置が接続された制御装置によって一意な装置ＩＤが生成される。すなわち、被制御装置の装置ＩＤとしては初期値を設定しておけばよいので、製造業者の管理負担を軽減することができる。
【０００８】
ここで、前記判定手段は、前記装置ＩＤが初期値でない場合、さらに前記保持手段に保持されている装置ＩＤと重複するか否かを判定し、前記生成手段は、前記保持手段に保持されている装置ＩＤと重複すると判定された場合、初期値でなく且つ前記保持手段に保持されていない装置ＩＤを新規に生成してもよい。これによって、接続形態を変更した場合でも、装置ＩＤの一意性を確保することができる。
【０００９】
また、前記制御装置はさらに、前記被制御装置に属性情報の送信を要求する属性要求手段と、前記被制御装置から属性情報を受信する属性受信手段とを備え、前記保持手段は、受信された前記属性情報を装置ＩＤと対応付けて保持し、前記制御手段は、保持されている前記属性情報に基づいて前記被制御装置を制御してもよい。前記被制御装置はさらに、前記被制御装置の属性情報を保持する保持手段と、前記制御装置から属性情報の送信要求を受信する属性要求受信手段と、前記送信要求に応じて、前記保持手段に保持されている属性情報を前記制御装置に送信する属性送信手段を備えてもよい。これによって、被制御装置から制御装置に属性情報が送信されるので、制御装置は属性情報に基づいて被制御装置を制御することができる。
【００１０】
なお、本発明は、このような制御装置または被制御装置として実現することができるだけでなく、これら装置が備える特徴的な手段をステップとすることによって、被制御装置を制御装置が制御する方法として実現することもできる。
【発明の効果】
【００１１】
以上の説明から明らかなように、本発明によれば、共通の初期値を被制御装置に設定しておいても、この被制御装置が接続された制御装置によって一意な装置ＩＤが生成される。すなわち、被制御装置の装置ＩＤとしては初期値を設定しておけばよいので、製造業者の管理負担を軽減することができる。
【発明を実施するための最良の形態】
【００１２】
以下、本発明の実施の形態について図面を用いて詳細に説明する。
図１は、本実施の形態の概要を示す図である。ここでは、テレビ１０とＤＶＤレコーダ２０とがネットワークを介して接続されている状態を示している。テレビ１０は、ＤＶＤレコーダ２０を制御する制御装置の一例であって、コンテンツを出力する。ＤＶＤレコーダ２０は、テレビ１０によって制御される被制御装置の一例であって、コンテンツを蓄積・配信する。テレビ１０には、複数台の被制御装置を接続することも可能である。
【００１３】
図２は、テレビ１０の構成を示す図である。このテレビ１０は、機能的には、登録要求受付部１０１、装置ＩＤ獲得部１０２、装置ＩＤ判定部１０３、装置ＩＤ生成部１０４、装置ＩＤ更新部１０５、属性情報獲得部１０６、装置ＩＤ・属性情報保持部１０７、装置ＩＤ・属性情報変更部１０８、接続装置制御部１０９、通信部１１０を備える。
【００１４】
通信部１１０は、有線または無線を介して、ＤＶＤレコーダ２０との間で双方向通信を行う。通信インターフェースは、通信方式に応じたものであればよい。
【００１５】
装置ＩＤ・属性情報保持部１０７は、ＤＶＤレコーダ２０の装置ＩＤと、ＤＶＤレコーダ２０の属性情報とを保持する。
【００１６】
登録要求受付部１０１は、ＤＶＤレコーダ２０から登録要求を受け付ける。
装置ＩＤ獲得部１０２は、ＤＶＤレコーダ２０から装置ＩＤを獲得する。この装置ＩＤ獲得部１０２には、ＤＶＤレコーダ２０に装置ＩＤの送信を要求するＩＤ要求部と、ＤＶＤレコーダ２０から装置ＩＤを受信するＩＤ受信部とが含まれる。
【００１７】
装置ＩＤ判定部１０３は、装置ＩＤ獲得部１０２によって獲得された装置ＩＤの値を判定する。具体的には、装置ＩＤ獲得部１０２によって獲得された装置ＩＤが例えば０などの初期値であるか否かを判定し、初期値でない場合は、さらに装置ＩＤ・属性情報保持部１０７に保持されている装置ＩＤと重複するか否かを判定する。
【００１８】
装置ＩＤ生成部１０４は、装置ＩＤ獲得部１０２によって獲得された装置ＩＤが初期値である場合、または装置ＩＤ・属性情報保持部１０７に保持されている装置ＩＤと重複する場合は、装置ＩＤ・属性情報保持部１０７に保持されていない新規な装置ＩＤを生成する。
【００１９】
装置ＩＤ更新部１０５は、装置ＩＤ生成部１０４によって新規な装置ＩＤが生成された場合、ＤＶＤレコーダ２０の装置ＩＤを更新する。具体的には、新規な装置ＩＤを含む更新要求をＤＶＤレコーダ２０に送信し、その応答をＤＶＤレコーダ２０から受信する。そして、この応答に含まれる装置ＩＤを装置ＩＤ・属性情報変更部１０８に通知する。
【００２０】
属性情報獲得部１０６は、ＤＶＤレコーダ２０から属性情報を獲得する。この属性情報獲得部１０６には、ＤＶＤレコーダ２０に属性情報の送信を要求する属性要求部と、ＤＶＤレコーダ２０から属性情報を受信する属性受信部とが含まれる。
【００２１】
装置ＩＤ・属性情報変更部１０８は、装置ＩＤ・属性情報保持部１０７に保持されている装置ＩＤと属性情報とを変更する。具体的には、装置ＩＤ更新部１０５によって受信された装置ＩＤと、属性情報獲得部１０６によって獲得された属性情報とを装置ＩＤ・属性情報保持部１０７に保持させる。
【００２２】
接続装置制御部１０９は、テレビ１０に接続されている装置を制御する。具体的には、ＤＶＤレコーダ２０に対して設定変更や動作指示といった制御要求を送信する。制御要求は、例えば、テレビ１０に対するユーザの指示によって発生する。すなわち、テレビ１０には、制御要求の送信を指示するための操作画面が表示される。この操作画面は、装置ＩＤ・属性情報保持部１０７に保持されている属性情報に基づいて生成される。従って、制御対象となる装置が実行可能な動作指示のみを操作画面に表示することができるため（または、実行可能な動作指示のみが制御対象となる装置に発行されるため）、無駄を低減した使い勝手のよい制御機能が提供されることとなる。
【００２３】
図３は、装置ＩＤ・属性情報保持部１０７の内部構成例を示す図である。この図に示されるように、装置ＩＤ・属性情報保持部１０７は、装置ＩＤと属性情報とを対応付けて保持している。属性情報は、ＤＶＤレコーダ２０が持つチューナの種類・録画モード・起動に要する時間など、ＤＶＤレコーダ２０が備える機能や設定に関する情報である。テレビ１０が属性情報を保持することによって、テレビ１０がＤＶＤレコーダ２０を効率的に制御することが可能となる。なお、ユーザがテレビ１０を購入した際、装置ＩＤ・属性情報保持部１０７は装置ＩＤも属性情報も保持していない。後述するように、テレビ１０にＤＶＤレコーダ２０が接続されると、その装置ＩＤや属性情報を保持することになる。
【００２４】
図４は、ＤＶＤレコーダ２０の構成を示す図である。
ＤＶＤレコーダ２０は、登録要求部２０１、装置ＩＤ送信部２０２、装置ＩＤ更新部２０３、属性情報送信部２０４、装置ＩＤ保持部２０５、属性情報保持部２０６、装置ＩＤ変更部２０７、装置制御部２０８、通信部２０９を備える。
【００２５】
通信部２０９は、有線または無線を介して、テレビ１０との間で双方向通信を行う。通信インターフェースは、通信方式に応じたものであればよい。
【００２６】
装置ＩＤ保持部２０５は、ＤＶＤレコーダ２０の装置ＩＤを保持する。ユーザがＤＶＤレコーダ２０を購入した際の装置ＩＤは初期値である。初期値としてどのような値を採用するかは限定されるものではないが、ここでは「０」を例示して説明する。
【００２７】
属性情報保持部２０６は、ＤＶＤレコーダ２０の属性情報を保持している。
登録要求部２０１は、登録要求をテレビ１０に送信する。登録要求をテレビ１０に送信するのは、ＤＶＤレコーダ２０をテレビ１０の管理下におくためである。登録要求は、ＤＶＤレコーダ２０がテレビ１０に接続される度に送信する必要はなく、例えば接続形態が変わったことを検出した時など、所定の条件を満たした時のみ送信すればよい。
【００２８】
装置ＩＤ送信部２０２は、ＤＶＤレコーダ２０の装置ＩＤをテレビ１０に送信する。具体的には、装置ＩＤの送信要求をテレビ１０から受信したとき、装置ＩＤ保持部２０５に保持されている装置ＩＤをテレビ１０に送信する。
【００２９】
装置ＩＤ更新部２０３は、ＤＶＤレコーダ２０の装置ＩＤを更新する。具体的には、新規な装置ＩＤを含む装置ＩＤ更新要求をテレビ１０から受信したとき、新規な装置ＩＤを含む応答をテレビ１０に送信するとともに、新規な装置ＩＤを装置ＩＤ変更部２０７に通知する。
【００３０】
装置ＩＤ変更部２０７は、装置ＩＤ更新部２０３によって受信された装置ＩＤを装置ＩＤ保持部２０５に保持させる。
【００３１】
属性情報送信部２０４は、属性情報の送信要求をテレビ１０から受信したとき、属性情報保持部２０６に保持されている属性情報をテレビ１０に送信する。
【００３２】
装置制御部２０８は、設定変更要求や動作指示要求をテレビ１０から受信すると、その要求に応じた処理を実行する。
【００３３】
（初期接続例）
図５は、テレビ１０とＤＶＤレコーダ２０の動作を示す図であり、図６は、テレビ１０とＤＶＤレコーダ２０との接続形態を示す図である。ここでは、図６（Ａ）に示されるように、リビングルームにテレビ１０が置かれていると仮定する。そして、図６（Ｂ）に示されるように、このテレビ１０にＤＶＤレコーダ２０が接続された場合の動作について説明する。なお、テレビ１０及びＤＶＤレコーダ２０は、ユーザに購入されたばかりであると仮定する。
【００３４】
まず、テレビ１０の動作について説明する。
登録要求受付部１０１は、登録要求をＤＶＤレコーダ２０から受信すると（Ｓ１０１）、その旨を装置ＩＤ獲得部１０２に通知する。
【００３５】
装置ＩＤ獲得部１０２は、装置ＩＤ送信要求をＤＶＤレコーダ２０に送信する（Ｓ１０２）。その後、装置ＩＤをＤＶＤレコーダ２０から受信すると（Ｓ１０３）、この装置ＩＤを装置ＩＤ判定部１０３に通知する。
【００３６】
装置ＩＤ判定部１０３は、装置ＩＤ獲得部１０２によって獲得された装置ＩＤが初期値であるか否かを判定する（Ｓ１０４）。ここでは、装置ＩＤ獲得部１０２によって獲得された装置ＩＤは０であり、初期値であるので、その旨を装置ＩＤ生成部１０４に通知することになる。
【００３７】
装置ＩＤ生成部１０４は、初期値でなく且つ装置ＩＤ・属性情報保持部１０７に保持されていない新規な装置ＩＤを生成し（Ｓ１０５）、この新規な装置ＩＤを装置ＩＤ更新部１０５に通知する。ここでは、装置ＩＤ・属性情報保持部１０７は装置ＩＤを保持していないので、新規な装置ＩＤ「１」が通知されることになる。
【００３８】
装置ＩＤ更新部１０５は、新規な装置ＩＤ「１」を含む装置ＩＤ更新要求をＤＶＤレコーダ２０に送信する（Ｓ１０６）。その後、装置ＩＤ「１」を含む装置ＩＤ更新要求の応答をＤＶＤレコーダ２０から受信すると（Ｓ１０７）、この応答に含まれる装置ＩＤ「１」を装置ＩＤ・属性情報変更部１０８に通知する。
【００３９】
装置ＩＤ・属性情報変更部１０８は、装置ＩＤ「１」を装置ＩＤ・属性情報保持部１０７に保持させる（Ｓ１０８）。また、属性情報を獲得するように属性情報獲得部１０６に指示する。
【００４０】
属性情報獲得部１０６は、属性情報送信要求をＤＶＤレコーダ２０に送信する（Ｓ１０９）。その後、属性情報をＤＶＤレコーダ２０から受信すると（Ｓ１１０）、この属性情報を装置ＩＤ・属性情報変更部１０８に通知する。
【００４１】
装置ＩＤ・属性情報変更部１０８は、通知された属性情報を装置ＩＤ・属性情報保持部１０７に保持させる。これによって、ＤＶＤレコーダ２０の装置ＩＤ「１」と属性情報とが対応付けされて装置ＩＤ・属性情報保持部１０７に保持されることになる。
【００４２】
以降、接続装置制御部１０９によってＤＶＤレコーダ２０が制御される。
次に、ＤＶＤレコーダ２０の動作について説明する。
【００４３】
登録要求部１０１は、登録要求をテレビ１０に送信する（Ｓ２０１）。
装置ＩＤ送信部２０２は、装置ＩＤ送信要求をテレビ１０から受信すると（Ｓ２０２）、装置ＩＤ保持部２０５に保持されている装置ＩＤをテレビ１０に送信する（Ｓ２０３）。ここでは、ＤＶＤレコーダ２０は、ユーザに購入されたばかりであるため、初期値である装置ＩＤ「０」がテレビ１０に送信されることになる。
【００４４】
装置ＩＤ更新部２０３は、新規な装置ＩＤを含む装置ＩＤ更新要求をテレビ１０から受信すると（Ｓ２０４）、この装置ＩＤ更新要求に含まれる新規な装置ＩＤを装置ＩＤ変更部２０７に通知する。
【００４５】
装置ＩＤ変更部２０７は、新規な装置ＩＤを装置ＩＤ保持部２０５に保持させると（Ｓ２０５）、その旨を装置ＩＤ更新部２０３に通知する。
【００４６】
装置ＩＤ更新部２０３は、装置ＩＤ保持部２０５に保持されている装置ＩＤをテレビ１０に送信する（Ｓ２０６）。ここでは、新規な装置ＩＤは「１」であるため、装置ＩＤ保持部２０５に保持されている装置ＩＤ「０」が「１」に更新され、この装置ＩＤ「１」がテレビ１０に送信されることになる。
【００４７】
属性情報送信部２０４は、属性情報送信要求をテレビ１０から受信すると（Ｓ２０７）、属性情報保持部２０６に保持されている属性情報をテレビ１０に送信する（Ｓ２０８）。
【００４８】
このように、ユーザに購入されたばかりのＤＶＤレコーダ２０には、製造業者によって、初期値の装置ＩＤ「０」が設定されている。このＤＶＤレコーダ２０をリビングルームに置かれたテレビ１０に接続すると、初期値とは異なる新規な装置ＩＤ「１」がテレビ１０によって生成され、ＤＶＤレコーダ２０の装置ＩＤが新規な装置ＩＤ「１」に更新される。また、ＤＶＤレコーダ２０の属性情報が新規な装置ＩＤ「１」と対応付けされてテレビ１０に保持される。
【００４９】
図７は、テレビ１１とＤＶＤレコーダ２１との接続形態を示す図である。ここでは、図７（Ａ）に示されるように、購入されたばかりの別のテレビ１１が子供部屋に置かれていると仮定する。そして、図７（Ｂ）に示されるように、このテレビ１１に、購入されたばかりのＤＶＤレコーダ２１が接続されたと仮定する。
【００５０】
既に説明したように、購入されたばかりのＤＶＤレコーダ２１には、製造業者によって、初期値の装置ＩＤ「０」が設定されている。このＤＶＤレコーダ２１を子供部屋に置かれたテレビ１１に接続すると、初期値とは異なる新規な装置ＩＤ「１」がテレビ１１によって生成され、ＤＶＤレコーダ２１の装置ＩＤが新規な装置ＩＤ「１」に更新される。また、ＤＶＤレコーダ２１の属性情報が新規な装置ＩＤ「１」と対応付けされてテレビ１１に保持される。テレビ１１とＤＶＤレコーダ２１の動作は、前記したテレビ１０とＤＶＤレコーダ２０の動作と同様であるため、ここでは詳しい説明を省略する。
【００５１】
（接続形態変更例）
図８は、テレビとＤＶＤレコーダとの接続形態を変更する場面を示す図である。ここでは、図８（Ａ）に示されるように、子供部屋のテレビ１１に接続されていたＤＶＤレコーダ２１を、図８（Ｂ）に示されるように、リビングルームのテレビ１０に接続する。
【００５２】
リビングルームに置かれているテレビ１０の装置ＩＤ・属性情報保持部１０７は、既に接続されているＤＶＤレコーダ２０の装置ＩＤ「１」とその属性情報を保持している。他方、子供部屋からリビングルームに移されるＤＶＤレコーダ２１の装置ＩＤ保持部２０５は、テレビ１１によって生成された新規な装置ＩＤ「１」を保持している。以下、図８及び図５を用いて、テレビ１０とＤＶＤレコーダ２１の動作について説明する。
【００５３】
まず、テレビ１０の動作について説明する。
登録要求受付部１０１は、登録要求をＤＶＤレコーダ２１から受信すると（Ｓ１０１）、その旨を装置ＩＤ獲得部１０２に通知する。
【００５４】
装置ＩＤ獲得部１０２は、装置ＩＤ送信要求をＤＶＤレコーダ２１に送信する（Ｓ１０２）。その後、装置ＩＤをＤＶＤレコーダ２１から受信すると（Ｓ１０３）、この装置ＩＤを装置ＩＤ判定部１０３に通知する。
【００５５】
装置ＩＤ判定部１０３は、装置ＩＤ獲得部１０２によって獲得された装置ＩＤが初期値「０」であるか否かを判定する（Ｓ１０４）。ここで、装置ＩＤ獲得部１０２によって獲得された装置ＩＤは、テレビ１１によって生成された新規な装置ＩＤ「１」であり、初期値「０」でない。そこで、装置ＩＤ判定部１０３は、この装置ＩＤ「１」が装置ＩＤ・属性情報保持部１０７に保持されている装置ＩＤと重複するか否かを判定する（Ｓ１１１）。
【００５６】
ここで、装置ＩＤ・属性情報保持部１０７には、ＤＶＤレコーダ２０の装置ＩＤ「１」が保持されている。そこで、装置ＩＤ判定部１０３は、装置ＩＤ獲得部１０２によって獲得された装置ＩＤ「１」が装置ＩＤ・属性情報保持部１０７に保持されている装置ＩＤ「１」と重複する旨を装置ＩＤ生成部１０４に通知することになる。
【００５７】
装置ＩＤ生成部１０４は、初期値でなく且つ装置ＩＤ・属性情報保持部１０７に保持されていない新規な装置ＩＤを生成し（Ｓ１０５）、この新規な装置ＩＤを装置ＩＤ更新部１０５に通知する。ここでは、装置ＩＤ・属性情報保持部１０７は装置ＩＤ「１」を保持しているので、新規な装置ＩＤ「２」が通知されることになる。
【００５８】
装置ＩＤ更新部１０５は、新規な装置ＩＤ「２」を含む装置ＩＤ更新要求をＤＶＤレコーダ２１に送信する（Ｓ１０６）。その後、装置ＩＤ「２」を含む装置ＩＤ更新要求の応答をＤＶＤレコーダ２１から受信すると（Ｓ１０７）、この応答に含まれる装置ＩＤ「２」を装置ＩＤ・属性情報変更部１０８に通知する。
【００５９】
装置ＩＤ・属性情報変更部１０８は、装置ＩＤ「２」を装置ＩＤ・属性情報保持部１０７に保持させる（Ｓ１０８）。また、属性情報を獲得するように属性情報獲得部１０６に指示する。
【００６０】
属性情報獲得部１０６は、属性情報送信要求をＤＶＤレコーダ２１に送信する（Ｓ１０９）。その後、属性情報をＤＶＤレコーダ２１から受信すると（Ｓ１１０）、この属性情報を装置ＩＤ・属性情報変更部１０８に通知する。
【００６１】
装置ＩＤ・属性情報変更部１０８は、通知された属性情報を装置ＩＤ・属性情報保持部１０７に保持させる。これによって、ＤＶＤレコーダ２０の装置ＩＤ「１」とその属性情報に加え、ＤＶＤレコーダ２１の装置ＩＤ「２」とその属性情報が装置ＩＤ・属性情報保持部１０７に保持されることになる。
【００６２】
以降、接続装置制御部１０９によってＤＶＤレコーダ２０及び２１が制御される。
次に、ＤＶＤレコーダ２１の動作について説明する。
【００６３】
登録要求部１０１は、登録要求をテレビ１０に送信する（Ｓ２０１）。
装置ＩＤ送信部２０２は、装置ＩＤ送信要求をテレビ１０から受信すると（Ｓ２０２）、装置ＩＤ保持部２０５に保持されている装置ＩＤをテレビ１０に送信する（Ｓ２０３）。ここで、装置ＩＤ保持部２０５には、テレビ１１によって生成された新規な装置ＩＤ「１」が保持されているので、この装置ＩＤ「１」がテレビ１０に送信されることになる。
【００６４】
装置ＩＤ更新部２０３は、新規な装置ＩＤを含む装置ＩＤ更新要求をテレビ１０から受信すると（Ｓ２０４）、この装置ＩＤ更新要求に含まれる新規な装置ＩＤを装置ＩＤ変更部２０７に通知する。
【００６５】
装置ＩＤ変更部２０７は、新規な装置ＩＤを装置ＩＤ保持部２０５に保持させると（Ｓ２０５）、その旨を装置ＩＤ更新部２０３に通知する。
【００６６】
装置ＩＤ更新部２０３は、装置ＩＤ保持部２０５に保持されている装置ＩＤをテレビ１０に送信する（Ｓ２０６）。ここでは、新規な装置ＩＤは「２」であるため、装置ＩＤ保持部２０５に保持されている装置ＩＤ「１」が「２」に更新され、この装置ＩＤ「２」がテレビ１０に送信されることになる。
【００６７】
属性情報送信部２０４は、属性情報送信要求をテレビ１０から受信すると（Ｓ２０７）、属性情報保持部２０６に保持されている属性情報をテレビ１０に送信する（Ｓ２０８）。
【００６８】
このように、子供部屋からリビングルームに移されるＤＶＤレコーダ２１には、テレビ１１によって生成された新規な装置ＩＤ「１」が設定されている。このＤＶＤレコーダ２１をリビングルームに置かれたテレビ１０に接続すると、初期値でなく且つ他のＤＶＤレコーダと重複しない新規な装置ＩＤ「２」がテレビ１０によって生成され、ＤＶＤレコーダ２１の装置ＩＤが新規な装置ＩＤ「２」に更新される。また、ＤＶＤレコーダ２１の属性情報が新規な装置ＩＤ「２」と対応付けされてテレビ１０に保持される。
【００６９】
（別の接続形態変更例）
図９は、テレビとＤＶＤレコーダとの接続形態を変更する別の場面を示す図である。ここでは、図９（Ａ）に示されるように、子供部屋からリビングルームに移されたＤＶＤレコーダ２１を、図９（Ｂ）に示されるように、子供部屋に戻してテレビ１１に再接続する。ただし、このとき、テレビ１１には別のＤＶＤレコーダ２２が既に接続されていると仮定する。
【００７０】
子供部屋に置かれているテレビ１１の装置ＩＤ・属性情報保持部１０７は、既に接続されているＤＶＤレコーダ２２の装置ＩＤ「１」とその属性情報を保持している。他方、リビングルームから子供部屋に戻されるＤＶＤレコーダ２１の装置ＩＤ保持部２０５は、テレビ１０によって生成された新規な装置ＩＤ「２」を保持している。以下、図９及び図５を用いて、テレビ１１とＤＶＤレコーダ２１の動作について説明する。
【００７１】
まず、テレビ１１の動作について説明する。
登録要求受付部１０１は、登録要求をＤＶＤレコーダ２１から受信すると（Ｓ１０１）、その旨を装置ＩＤ獲得部１０２に通知する。
【００７２】
装置ＩＤ獲得部１０２は、装置ＩＤ送信要求をＤＶＤレコーダ２１に送信する（Ｓ１０２）。その後、装置ＩＤをＤＶＤレコーダ２１から受信すると（Ｓ１０３）、この装置ＩＤを装置ＩＤ判定部１０３に通知する。
【００７３】
装置ＩＤ判定部１０３は、装置ＩＤ獲得部１０２によって獲得された装置ＩＤが初期値「０」であるか否かを判定する（Ｓ１０４）。ここで、装置ＩＤ獲得部１０２によって獲得された装置ＩＤは、テレビ１１によって生成された新規な装置ＩＤ「２」であり、初期値「０」でない。そこで、装置ＩＤ判定部１０３は、この装置ＩＤ「２」が装置ＩＤ・属性情報保持部１０７に保持されている装置ＩＤと重複するか否かを判定する（Ｓ１１１）。
【００７４】
ここで、装置ＩＤ・属性情報保持部１０７には、ＤＶＤレコーダ２２の装置ＩＤ「１」が保持されているが、この装置ＩＤ「１」は、装置ＩＤ獲得部１０２によって獲得された装置ＩＤ「２」と重複しない。そこで、装置ＩＤ判定部１０３は、属性情報を獲得するように属性情報獲得部１０６に指示する。
【００７５】
属性情報獲得部１０６は、属性情報送信要求をＤＶＤレコーダ２１に送信する（Ｓ１０９）。その後、属性情報をＤＶＤレコーダ２１から受信すると（Ｓ１１０）、この属性情報を装置ＩＤ・属性情報変更部１０８に通知する。
【００７６】
装置ＩＤ・属性情報変更部１０８は、通知された属性情報を装置ＩＤ・属性情報保持部１０７に保持させる。これによって、ＤＶＤレコーダ２２の装置ＩＤ「１」とその属性情報に加え、ＤＶＤレコーダ２１の装置ＩＤ「２」とその属性情報が装置ＩＤ・属性情報保持部１０７に保持されることになる。
【００７７】
以降、接続装置制御部１０９によってＤＶＤレコーダ２１及び２２が制御される。
次に、ＤＶＤレコーダ２１の動作について説明する。
【００７８】
登録要求部１０１は、登録要求をテレビ１１に送信する（Ｓ２０１）。
装置ＩＤ送信部２０２は、装置ＩＤ送信要求をテレビ１１から受信すると（Ｓ２０２）、装置ＩＤ保持部２０５に保持されている装置ＩＤをテレビ１１に送信する（Ｓ２０３）。ここで、装置ＩＤ保持部２０５には、テレビ１０によって生成された装置ＩＤ「２」が保持されているので、この装置ＩＤ「２」がテレビ１１に送信されることになる。
【００７９】
属性情報送信部２０４は、属性情報送信要求をテレビ１１から受信すると（Ｓ２０７）、属性情報保持部２０６に保持されている属性情報をテレビ１１に送信する（Ｓ２０８）。
【００８０】
このように、リビングルームから子供部屋から戻されるＤＶＤレコーダ２１には、テレビ１０によって生成された新規な装置ＩＤ「２」が設定されている。このＤＶＤレコーダ２１を子供部屋に置かれたテレビ１０に再接続すると、装置ＩＤ「２」を変更することなく、ＤＶＤレコーダ２１の装置ＩＤ「２」とその属性情報がテレビ１１に保持される。
【００８１】
以上のように、本実施の形態によれば、共通の初期値「０」をＤＶＤレコーダに設定しておいても、このＤＶＤレコーダが接続されたテレビによって一意な装置ＩＤが生成される。すなわち、ＤＶＤレコーダの装置ＩＤとしては初期値「０」を設定しておけばよいので、製造業者の管理負担を軽減することができる。
【００８２】
また、本実施の形態に係るＤＶＤレコーダがテレビに登録要求を送信するタイミングは、前記した通り、所定の条件を満たした時のみでよい。すなわち、ＤＶＤレコーダは、テレビに接続される度に登録要求を送信する必要がなく、テレビは、ＤＶＤレコーダが接続される度に属性情報を獲得する必要がない。これによって、テレビとＤＶＤレコーダの双方で処理工数が増大するという問題が回避され、またネットワーク上の負荷が軽減される。もちろん、所定の条件を満たした時には、ＤＶＤレコーダからテレビに登録要求が送信され、新規な装置ＩＤが生成されるので、テレビに接続された各ＤＶＤレコーダの装置ＩＤの一意性を保つことが可能である。
【００８３】
なお、前記の説明では、ＤＶＤレコーダから獲得した装置ＩＤが初期値であるか、またはテレビ内に保持されている装置ＩＤと重複する場合、テレビが新規な装置ＩＤを生成することとしているが、新規な装置ＩＤを生成する条件はこれに限定されるものではない。すなわち、ＤＶＤレコーダから獲得した装置ＩＤが初期値であるか、またはその時点においてテレビに接続されているその他のＤＶＤレコーダの装置ＩＤと重複する場合、テレビが新規な装置ＩＤを生成することにしてもよい。
【００８４】
また、前記の説明では、制御装置としてテレビを、被制御装置としてＤＶＤレコーダを例示しているが、本発明はこれに限定されるものではない。例えば、パーソナル・コンピュータを制御装置として採用することもできるし、種々の家電機器を被制御装置として採用することもできる。すなわち、制御装置は、被制御装置を制御する装置であり、被制御装置は、制御装置によって制御される装置であるという条件を満たす以上、本発明の適用対象となり得る。
【産業上の利用可能性】
【００８５】
本発明は、簡便な手法によって製造業者の管理負担を軽減することが必要なテレビやＤＶＤレコーダ等の用途に適用することができる。
【図面の簡単な説明】
【００８６】
【図１】本実施の形態の概要を示す図
【図２】テレビの構成を示す図
【図３】装置ＩＤ・属性情報保持部の内部構成例を示す図
【図４】ＤＶＤレコーダの構成を示す図
【図５】テレビとＤＶＤレコーダの動作を示す図
【図６】テレビとＤＶＤレコーダとの接続形態を示す図
【図７】テレビとＤＶＤレコーダとの接続形態を示す図
【図８】テレビとＤＶＤレコーダとの接続形態を変更する場面を示す図
【図９】テレビとＤＶＤレコーダとの接続形態を変更する別の場面を示す図
【符号の説明】
【００８７】
１０  テレビ
１１  テレビ
２０  ＤＶＤレコーダ
２１  ＤＶＤレコーダ
１０１  登録要求受付部
１０２  装置ＩＤ獲得部
１０３  装置ＩＤ判定部
１０４  装置ＩＤ生成部
１０５  装置ＩＤ更新部
１０６  属性情報獲得部
１０７  装置ＩＤ・属性情報保持部
１０８  装置ＩＤ・属性情報変更部
１０９  接続装置制御部
１１０  通信部
２０１  登録要求部
２０２  装置ＩＤ送信部
２０３  装置ＩＤ更新部
２０４  属性情報送信部
２０５  装置ＩＤ保持部
２０６  属性情報保持部
２０７  装置ＩＤ変更部
２０８  装置制御部
２０９  通信部
【図１】
0004584809.tif 000002
【図２】
0004584809.tif 000003
【図３】
0004584809.tif 000004
【図４】
0004584809.tif 000005
【図５】
0004584809.tif 000006
【図６】
0004584809.tif 000007
【図７】
0004584809.tif 000008
【図８】
0004584809.tif 000009
【図９】
0004584809.tif 000010